(57)【特許請求の範囲】
【請求項１】
物体側から像側へ順にズーミングのためには不動で、合焦のために移動する正の屈折力の第１レンズ群、変倍用の負の屈折力の第２レンズ群、変倍用の負の屈折力の第３レンズ群、変倍に伴う像面変動を補正する負の屈折力の第４レンズ群、ズーミングのためには不動の正の屈折力の第５レンズ群から構成されるズームレンズにおいて、
前記第２レンズ群と、前記第３レンズ群の焦点距離を各々ｆ２、ｆ３、前記第２レンズ群と前記第３レンズ群の広角端における間隔をＷＬ２、望遠端における間隔をＴＬ２とするとき、
１．１５＜ＷＬ２／ＴＬ２＜３０．００
０．２０＜|ｆ２／ｆ３|＜０．９５
なる条件を満足することを特徴とするズームレンズ。
【請求項２】
前記焦点距離ｆ２と前記間隔ＷＬ２は
０．０４＜|ＷＬ２／ｆ２|＜１．９５
なる条件を満足することを特徴とする請求項１に記載のズームレンズ。
【請求項３】
前記第１レンズ群の焦点距離をｆ１とするとき、
０．９０＜|ｆ１／ｆ２|
なる条件を満足することを特徴とする請求項１又は２に記載のズームレンズ。
【請求項４】
広角端から望遠端へのズーミングに際して前記第２、第３レンズ群は互いに異なった軌跡で像側へ移動し、前記第４レンズ群は物体側に凸状の軌跡を描いて移動することを特徴とする請求項１、２又は３に記載のズームレンズ。
【請求項５】
請求項１乃至４のいずれか１項に記載のズームレンズと、該ズームレンズによって形成した像を受光する固体撮像素子を有していることを特徴とする撮像装置。
【請求項６】
前記第４レンズ群の焦点距離をｆ４、前記固体撮像素子のイメージサイズの対角長をφとするとき、
２．５＜|ｆ４／φ|＜７．３
なる条件を満足することを特徴とする請求項５の撮像装置。
【発明の詳細な説明】
【技術分野】
【０００１】
本発明はズームレンズ及びそれを有する撮像装置に関し、放送用テレビカメラ、ビデオカメラ、デジタルスチルカメラ、銀塩写真用カメラ等に好適なものである。
【背景技術】
【０００２】
近年、テレビカメラ、銀塩フィルム用カメラ、デジタルカメラ、ビデオカメラ等の撮像装置には、大口径比、高ズーム比でしかも高い光学性能を有したズームレンズが要望されている。大口径比、高ズーム比のズームレンズとして、最も物体側に正の屈折力のレンズ群を配置したポジティブリード型のズームレンズが知られている。このポジティブリード型のズームレンズとして、５つのレンズ群より成る５群ズームレンズが知られている。例えば合焦用の正の屈折力の第１レンズ群、変倍用の負の屈折力の第２レンズ群、第３レンズ群、正又は負の屈折力の第４レンズ群、結像用の正の屈折力の第５レンズ群が知られている（特許文献１、２）。特許文献１では、広角端から望遠端へのズーミングに際して、第２レンズ群で変倍を行う。また第３レンズ群と第４レンズ群が物体側に凸状の軌跡を描いて移動することにより、変倍に伴う像面変動の補正と、収差変動を小さく抑えている。特許文献２では、変倍用の負の屈折力の第２レ及び第３レンズ群、変倍に伴って変動する像面変動を補正するための第４レンズ群よりズーム系を構成している。特許文献２では、第１レンズ群の軸外光線の高さが最も高くなる中間ズームポジションにおいて、第２レンズ群と第３レンズ群の主点間隔を増大させることにより、光学性能を良好に維持したまま第１レンズ群の小型軽量化を図っている。
【先行技術文献】
【特許文献】
【０００３】
【特許文献１】特開平１−１２６６１４号公報
【特許文献２】特開平７−１３０７５号公報
【発明の概要】
【発明が解決しようとする課題】
【０００４】
前述した５群ズームレンズにおいて、大口径比化及び高ズーム比化を維持しつつ、全ズーム範囲にわたり高い光学性能を得るには第２、第３レンズ群の屈折力やズーミングの際の移動条件等を適切に設定することが重要になってくる。特に、５群ズームレンズにおいて、全系の小型化を図りつつ、高ズーム比化を図るには第２レンズ群の屈折力を大きくすることなくズーミングの際の第２レンズ群の移動量を低減することが重要になってくる。また第１レンズ群や第４レンズ群の屈折力も適切に設定することが重要になってくる。これらの構成を適切に設定しないと、全系の小型化を図りつつ、高ズーム比で全ズーム範囲にわたり高い光学性能のズームレンズを得るのが難しくなってくる。特許文献１では、広角端から望遠端へのズーミングに際し、第３レンズ群と第４レンズ群がそれぞれ異なった軌跡を持つことにより収差変動を小さくし、良好な光学性能を達成している。しかし、広角端において、第２レンズ群と第３レンズ群の間隔が大きく、第２レンズ群の移動量の短縮を図ることが難しい。特許文献２では、中間ズームポジションにおいて、第２レンズ群と第３レンズ群の間隔を増大させることにより、第１レンズ群の小型軽量化を達成している。しかし、広角端において、望遠端と比較して第２レンズ群と第３レンズ群の間隔が狭まるため、ズーミングに際して第２レンズ群の移動量が増大し、全系が大型化してくる。
【０００５】
本発明は、光学系全体が小型で、高ズーム比で、しかも全ズーム範囲にわたり高い光学性能が得られるズームレンズ及びそれを有する撮像装置の提供を目的とする。
【課題を解決するための手段】
【０００６】
本発明のズームレンズは、物体側から像側へ順にズーミングのためには不動で、合焦のために移動する正の屈折力の第１レンズ群、変倍用の負の屈折力の第２レンズ群、変倍用の負の屈折力の第３レンズ群、変倍に伴う像面変動を補正する負の屈折力の第４レンズ群、ズーミングのためには不動の正の屈折力の第５レンズ群から構成されるズームレンズにおいて、前記第２レンズ群と、前記第３レンズ群の焦点距離を各々ｆ２、ｆ３、前記第２レンズ群と前記第３レンズ群の広角端における間隔をＷＬ２、望遠端における間隔をＴＬ２とするとき、
１．１５＜ＷＬ２／ＴＬ２＜３０．００
０．２０＜|ｆ２／ｆ３|＜０．９５
なる条件を満足することを特徴としている。
【発明の効果】
【０００７】
本発明によれば、光学系全体が小型で、高ズーム比で、しかも全ズーム範囲にわたり高い光学性能が得られるズームレンズ及びそれを有する撮像装置が得られる。
【図面の簡単な説明】
【０００８】
【図１】（Ａ）（Ｂ）  数値実施例１の広角端と望遠端におけるレンズ断面図
【図２】（Ａ）（Ｂ）  数値実施例１の広角端と望遠端における収差図
【図３】（Ａ）（Ｂ）  数値実施例２の広角端と望遠端におけるレンズ断面図
【図４】（Ａ）（Ｂ）  数値実施例２の広角端と望遠端における収差図
【図５】（Ａ）（Ｂ）  数値実施例３の広角端と望遠端におけるレンズ断面図
【図６】（Ａ）（Ｂ）  数値実施例３の広角端と望遠端における収差図
【図７】（Ａ）（Ｂ）  数値実施例４の広角端と望遠端におけるレンズ断面図
【図８】（Ａ）（Ｂ）  数値実施例４の広角端と望遠端における収差図
【図９】（Ａ）（Ｂ）  数値実施例５の広角端と望遠端におけるレンズ断面図
【図１０】（Ａ）（Ｂ）  数値実施例５の広角端と望遠端における収差図
【図１１】本発明のズームレンズの第２、第３レンズ群の近軸屈折力配置の説明図
【図１２】本発明の撮像装置の要部概略図
【発明を実施するための形態】
【０００９】
以下、本発明のズームレンズ及びそれを有する撮像装置の実施例について説明する。本発明のズームレンズは、物体側から像側へ順にズーミングのためには不動で、合焦のために移動する正の屈折力の第１レンズ群、変倍用の負の屈折力の第２レンズ群、変倍用の負の屈折力の第３レンズ群を有している。更に変倍に伴う像面変動を補正する負の屈折力の第４レンズ群、ズーミングのためには不動の正の屈折力の第５レンズ群から構成されている。広角端から望遠端へのズーミングに際して、第２、第３レンズ群は互いに異なった軌跡で像側へ移動する。また第４レンズ群は物体側に凸状の軌跡を描いて移動する。フォーカスは第１レンズ群の一部又は全部を移動して行っている。ここでズーミングのためには不動とは、ズーミングを目的として移動しないが、例えばフォーカスに際しては移動することがあり得ることである。
【００１０】
図１（Ａ）、（Ｂ）は本発明の実施例１のズームレンズの広角端（短焦点距離端）と望遠端（長焦点距離端）におけるレンズ断面図である。図２（Ａ）、（Ｂ）はそれぞれ実施例１のズームレンズの広角端と望遠端におけるレンズ断面図である。実施例１はズーム比４０．０、広角端のＦナンバー２．１０の高ズーム比大口径のズームレンズである。図３（Ａ）、（Ｂ）は本発明の実施例２のズームレンズの広角端と望遠端におけるレンズ断面図である。図４（Ａ）、（Ｂ）は本発明の実施例２のズームレンズの広角端、望遠端における収差図である。実施例２はズーム比２１．０、広角端のＦナンバー１．９０の高ズーム比大口径のズームレンズである。図５（Ａ）、（Ｂ）は本発明の実施例３のズームレンズの広角端と望遠端におけるレンズ断面図である。図６（Ａ）、（Ｂ）は本発明の実施例３のズームレンズの広角端、望遠端における収差図である。実施例３はズーム比４１．０、広角端のＦナンバー２．１０の高ズーム比大口径のズームレンズである。
【００１１】
図７（Ａ）、（Ｂ）は本発明の実施例４のズームレンズの広角端と望遠端におけるレンズ断面図である。図８（Ａ）、（Ｂ）は本発明の実施例４のズームレンズの広角端、望遠端における収差図である。実施例４はズーム比２０．０、広角端のＦナンバー２．１０の高ズーム比大口径のズームレンズである。図９（Ａ）、（Ｂ）は本発明の実施例５のズームレンズの広角端と望遠端におけるレンズ断面図である。図１０（Ａ）、（Ｂ）は本発明の実施例５のズームレンズの広角端、望遠端における収差図である。実施例５はズーム比１０．０、広角端のＦナンバー１．９０の高ズーム比大口径のズームレンズである。図１１（Ａ）、（Ｂ）は本発明のズームレンズにおける第２レンズ群Ｖ１と第３レンズ群Ｖ２の近軸屈折力配置の説明図である。図１２は本発明のズームレンズを備えるビデオカメラ（撮像装置）の要部概略図である。各実施例のズームレンズは撮像装置に用いられる撮影レンズ系であり、レンズ断面図において左方が被写体側（前方）で、右方が像側（後方）である。
【００１２】
レンズ断面図において、Ｆは合焦用のレンズ群を含む正の屈折力の前玉レンズ群（第１レンズ群）である。Ｖ１は変倍用の負の屈折力のバリエータ（第２レンズ群）であり、光軸上を像面側へ単調に移動させることにより、広角端から望遠端への変倍を行っている。Ｖ２は変倍用の負の屈折力のバリエータ（第３レンズ群）であり、第２レンズ群Ｖ１とは独立に、異なった移動軌跡で光軸上を像面側へ移動させることにより、広角端から望遠端への変倍を行っている。Ｃは負の屈折力のコンペンセータ（第４レンズ群）であり、変倍に伴う像面変動を補正するために物体側に凸状の軌跡を描いて移動している。各実施例では、像面変動を補正するレンズ群を第４レンズ群Ｃとしているが、第３レンズ群Ｖ２を像面変動の補正レンズ群としても良い。ＳＰは絞り（開口絞り）である。Ｒはズーミングのためには不動の結像作用を有する正の屈折力のリレー群（第５レンズ群）である。Ｐは色分解プリズムや光学フィルター等であり、同図ではガラスブロックとして示している。Ｉは像面であり、ビデオカメラやデジタルスチルカメラの撮影光学系として使用する際にはＣＣＤセンサやＣＭＯＳセンサ等の固体撮像素子（光電変換素子）の撮像面に相当する。尚、以下の各実施例において広角端と望遠端のズーム位置は、変倍用レンズ群（各実施例では、第２、第３レンズ群Ｖ１、Ｖ２）が機構上、光軸上を移動可能な範囲の両端に位置したときのズーム位置をいう。
【００１３】
各実施例では、広角端から望遠端へのズーミングに際して矢印のように第２、第３、第４レンズ群Ｖ１、Ｖ２、Ｃが移動している。フォーカスは第１レンズ群Ｆの一部又は全てによって行っている。収差図においてｅ、ｇ、Ｃは各々ｅ線、ｇ線、Ｃ線である。Ｍ、Ｓはメリディオナル像面、サジタル像面、倍率色収差はｇ線、Ｃ線によって表している。ＦｎｏはＦナンバー、ωは半画角である。各実施例において、第２レンズ群Ｖ１と、第３レンズ群Ｖ２の焦点距離を各々ｆ２、ｆ３とする。第２レンズ群Ｖ１と第３レンズ群Ｖ２の広角端における間隔（空気間隔）をＷＬ２、望遠端における間隔（空気間隔）をＴＬ２とする。このとき、
１．１５＜ＷＬ２／ＴＬ２＜３０．００    ‥‥‥（１）
０．２０＜|ｆ２／ｆ３|＜０．９５        ‥‥‥（２）
なる条件を満足する。各実施例では変倍用のレンズ群として第２レンズ群Ｖ１及び第３レンズ群Ｖ２を用い、それらを負の屈折力のレンズ群で構成している。そして第２レンズ群Ｖ１と第３レンズ群Ｖ２の間隔を増大させることにより、第２レンズ群Ｖ１と第３レンズ群Ｖ２の合成焦点距離を第２レンズ群Ｖ１と第３レンズ群Ｖ２の単独の屈折力よりも大きくすることなく短焦点距離化させている。上記の構成をとることにより、良好な光学性能を達成しつつ、高ズーム比、大口径でありながらコンパクトなズームレンズを達成している。
【００１４】
図１１（Ａ）、（Ｂ）は本発明のズームレンズの広角端及び望遠端における第２レンズ群Ｖ１と第３レンズ群Ｖ２の近軸屈折力配置を表した模式図である。図中、ｆｇは第２レンズ群Ｖ１と第３レンズ群Ｖ２の合成焦点距離（符号は負である）、Ｈ’は第２レンズ群Ｖ１と第３レンズ群Ｖ２の合成主点位置である。第２レンズ群Ｖ１の焦点距離をｆ２、第３レンズ群Ｖ２の焦点距離をｆ３とする。第２レンズ群Ｖ１と第３レンズ群Ｖ２の主点間隔をeとする。このとき、第２レンズ群Ｖ１と第３レンズ群Ｖ２の合成焦点距離ｆｇは以下の式で表される。
【００１５】
【数１】
0005430332.tif 000002
【００１６】
上記の式より、第２レンズ群Ｖ１及び第３レンズ群Ｖ２の焦点距離が負の場合、第２レンズ群Ｖ１と第３レンズ群Ｖ２の主点間隔を増大させることにより、第２レンズ群Ｖ１と第３レンズ群Ｖ２の合成焦点距離ｆｇを短焦点距離化させることができる。条件式（１）は広角端から望遠端へのズーミングに際しての第２レンズ群Ｖ１と第３レンズ群Ｖ２の間隔を規定するものである。広角端において、第２レンズ群Ｖ１と第３レンズ群Ｖ２の間隔を増大させることにより、合成焦点距離を短焦点距離化し、ズーミングの際の第２レンズ群Ｖ１の移動量を短縮している。条件式（１）の上限を上回ると、広角端における第２レンズ群Ｖ１と第３レンズ群Ｖ２の間隔が大きくなり、第２レンズ群Ｖ１へ入射する軸外光線の高さが増大する。このため、第２レンズ群Ｖ１の有効径が増大する。また、広角端において第３レンズ群Ｖ２が像側に近づくため、高ズーム比化が困難になる。条件式（１）の下限を下回ると、広角端における第２レンズ群Ｖ１と第３レンズ群Ｖ２の間隔が狭まるため、広角端における第２レンズ群Ｖ１と第３レンズ群Ｖ２の合成焦点距離が長焦点距離化し、第２レンズ群Ｖ１のズーミングの際の移動量が増大する。また望遠端における第２レンズ群Ｖ１と第３レンズ群Ｖ２の間隔が大きくなり、第２レンズ群Ｖ１が物体側に近づくため、高ズーム比化が困難になる。
【００１７】
条件式（２）は第２レンズ群Ｖ１と第３レンズ群Ｖ２の屈折力の比を規定するものである。条件式（２）の上限を上回ると、広角端において、第３レンズ群Ｖ２の屈折力が大きくなるため、第２レンズ群Ｖ１に入射する軸外光線の高さが増大し、有効径が増大する。条件式（２）の下限を下回ると、第３レンズ群Ｖ２の屈折力が小さくなり、広角端における第２レンズ群Ｖ１と第３レンズ群Ｖ２の間隔の増大に伴う第２レンズ群Ｖ１の短縮効果が小さくなり、全系の小型化が困難になる。更に好ましくは条件式（１）、（２）の数値範囲を次の如く設定するのが良い。
【００１８】
５．００＜ＷＬ２／ＴＬ２＜１３．００            ・・・（１ａ）
０．３０＜|ｆ２／ｆ３|＜０．６０                ・・・（２ａ）
以上の諸条件を満足することによって、高ズーム比で全ズーム範囲にわたり高い光学性能を有するズームレンズを得ている。各実施例において、更に良好なる収差補正を行い、かつズーミングの際の収差変動を小さくしつつ、レンズ系全体の小型化を図るには、次の諸条件のうち、１以上を満足するのが良い。第１レンズ群Ｆの焦点距離をｆ１とする。このとき、
０．０４＜|ＷＬ２／ｆ２|＜１．９５    ・・・（３）
０．９０＜|ｆ１／ｆ２|                ・・・（４）
なる条件のうち１以上を満足するのが良い。条件式（３）は、広角端における第２レンズ群Ｖ１と第３レンズ群Ｖ２の間隔に対する第２レンズ群Ｖ１の焦点距離の比を規定している。間隔ＷＬ２が大きく、条件式（３）の上限を上回ると、広角端における第２レンズ群Ｖ１と第３レンズ群Ｖ２の間隔が大きくなり、第２レンズ群Ｖ１の有効径が増大し大型化してくる。また、第２レンズ群Ｖ１の屈折力が大きくなるため、収差補正が困難になる。焦点距離ｆ２の絶対値が大きく、条件式（３）の下限を下回ると、広角端における第２レンズ群Ｖ１と第３レンズ群Ｖ２の間隔が狭まる。このため、広角端における第２レンズ群Ｖ１と第３レンズ群Ｖ２の合成焦点距離が長くなり、ズーミングに際しての第２レンズ群Ｖ１の移動量が増大するので良くない。条件式（４）は、第１レンズ群Ｆと第２レンズ群Ｖ１の焦点距離の比を規定している。
【００１９】
第２レンズ群Ｖ１及び第３レンズ群Ｖ２の合成焦点距離を短くしたことによる第２レンズ群Ｖ１のズーミングの際の移動量の短縮の効果は、広角端における第２レンズ群Ｖ１の横倍率の絶対値｜β２｜に反比例する。条件式（４）の下限を下回ると、第１レンズ群Ｆの焦点距離が小さくなり、広角端における第２レンズ群Ｖ１の横倍率の絶対値｜β２｜が増大する。このため、第２レンズ群Ｖ１のズーミングの際の移動量の短縮が小さくなり、小型化が困難になる。更に好ましくは条件式（３）、（４）の数値範囲を次の如く設定するのが良い。
【００２０】
０．０４５＜|ＷＬ２／ｆ２|＜１．９４５  ・・・（３ａ）
０．９０５＜|ｆ１／ｆ２|＜６．０００    ・・・（４ａ）
また各実施例のズームレンズを、該ズームレンズによって形成される像を受光する固体撮像素子とを有する撮像装置に用いるときには、第４レンズ群Ｃの焦点距離をｆ４、固体撮像素子のイメージサイズの対角長をφとする。このとき、
２．５＜|ｆ４／φ|＜７．３    ・・・（５）
なる条件を満足するのが良い。条件式（５）は第４レンズ群Ｃの焦点距離をｆ４に対する固体撮像素子の対角長φとの比に関する。条件式（５）の下限を下回ると、第４レンズ群Ｃの屈折力が大きくなるため、変倍に伴う収差変動の補正が困難になる。また、広角端において第２レンズ群Ｖ１及び第３レンズ群Ｖ２に入射する軸外光線の高さが増大し、第２レンズ群Ｖ１及び第３レンズ群Ｖ２の有効径が増大し大型化してくる。また条件式（５）の上限を上回ると、第４レンズ群Ｃのズーミングの際の移動量が増大し、レンズ全長が大型化してくるので良くない。更に好ましくは条件式（５）の数値範囲を次の如く設定するのが良い。
【００２１】
３．０＜|ｆ４／φ|＜７．０    ・・・（５ａ）
次に各実施例の各レンズ群のレンズ構成について説明する。以下、各レンズは物体側より像側へ順に配置されているものとする。第１レンズ群Ｆは負レンズ、４つの正レンズより成っている。又は負レンズ、負レンズと正レンズとを接合した接合レンズ、３つの正レンズより成っている。又は３つの負レンズ、２つの正レンズ、正レンズと負レンズとを接合した接合レンズ、負レンズと正レンズとを接合した接合レンズ、２つの正レンズより成っている。第２レンズ群Ｖ１は負レンズ、正レンズと負レンズとを接合した接合レンズ、又は２つの負レンズ、正レンズ、負レンズより、又は２つの負レンズ、正レンズより、又は２つの負レンズ、正レンズと負レンズとを接合した接合レンズより成っている。第３レンズ群Ｖ２は正レンズと負レンズとを接合した接合レンズより、又は負レンズと正レンズとを接合した接合レンズより成っている。第４レンズ群Ｃは負レンズと正レンズとを接合した接合レンズより成っている。第５レンズ群Ｒは全体として１０乃至１２枚のレンズより成っている。
【００２２】
以下に本発明の実施例１〜５に対応する数値実施例１〜５を示す。各数値実施例において、ｉは物体側からの面の順序を示し、ｒｉは物体側より第ｉ番目の面の曲率半径、ｄｉは物体側より第ｉ番目と第ｉ＋１番目の間隔、ｎｄｉ，νｄｉ、θｇＦｉは第ｉ番目の光学部材の屈折率とアッベ数と部分分散比である。焦点距離、Ｆナンバー、画角はそれぞれ無限遠物体に焦点を合わせたときの値を表している。ＢＦは最終面から像面までの長さである。最後の３つの面は、フィルター等のガラスブロックである。非球面形状は光軸方向にＸ軸、光軸と垂直方向にＨ軸、光の進行方向を正とし、Ｒを近軸曲率半径、ｋを円錐常数、Ａ３乃至Ａ１２をそれぞれ非球面係数としたとき、次式で表している。
【００２３】
【数１】
0005430332.tif 000003
【００２４】
で表される。又、例えば「ｅ−Ｚ」は「×１０-Z」を意味する。また、各実施例における上述した条件式との対応を表−１に示す。
【００２５】
（数値実施例１）
面番号    r        d        nd        νd     θgF   有効径    焦点距離
1 -1079.08951   2.88000  1.834807   42.72   0.5636  103.369   -228.600
2   233.69097   1.00000  1.000000    0.00   0.0000  102.751      0.000
3   226.90494  11.92168  1.433870   95.10   0.5373  103.354    302.506
4  -308.20511  10.70000  1.000000    0.00   0.0000  103.636      0.000
5   339.23452   7.94929  1.433870   95.10   0.5373  105.748    479.860
6  -538.65223   0.20000  1.000000    0.00   0.0000  105.724      0.000
7   161.87330  10.04468  1.433870   95.10   0.5373  104.415    389.421
8  3582.51796   0.20000  1.000000    0.00   0.0000  103.913      0.000
9   108.21561   9.44880  1.433870   95.10   0.5373   99.206    390.726
10   290.02426    (可変)  1.000000    0.00   0.0000   98.276      0.000
11   197.14982   1.50000  1.882997   40.78   0.5668   40.698    -50.219
12    36.24305   6.77722  1.000000    0.00   0.0000   36.224      0.000
13   -99.80476   7.02902  1.808095   22.76   0.6307   36.054     54.038
14   -31.56279   1.50000  1.729157   54.68   0.5444   35.608    -39.405
15   343.45252    (可変)  1.000000    0.00   0.0000   33.980      0.000
16   -46.23776   3.72394  1.639799   34.46   0.5923   22.474     92.517
17   -26.85894   1.22784  1.729157   54.68   0.5444   22.996    -47.902
18  -116.81810    (可変)  1.000000    0.00   0.0000   23.775      0.000
19   -46.54544   1.30000  1.717004   47.92   0.5606   27.760    -37.391
20    64.71945   3.07714  1.846490   23.90   0.6217   29.750     86.594
21   503.70490    (可変)  1.000000    0.00   0.0000   30.253      0.000
22     開口絞り  1.38000  1.000000    0.00   0.0000   39.337      0.000
23  1246.11576   7.40356  1.607379   56.81   0.5483   40.376     79.026
24   -50.02676   0.15000  1.000000    0.00   0.0000   41.451      0.000
25   253.67223   5.08566  1.518229   58.90   0.5456   41.944    145.500
26  -107.17397   0.35000  1.000000    0.00   0.0000   41.948      0.000
27    41.46536  10.10408  1.487490   70.23   0.5300   40.354     59.386
28   -89.24120   1.50000  1.834000   37.17   0.5774   39.027   -100.594
29  1578.39698   0.15000  1.000000    0.00   0.0000   37.901      0.000
30    35.86725   7.87102  1.487490   70.23   0.5300   35.360     63.199
31  -207.69417   1.50000  1.882997   40.76   0.5667   33.524    -28.900
32    29.38643  50.00000  1.000000    0.00   0.0000   30.232      0.000
33   -85.92161   4.02457  1.517417   52.43   0.5564   32.362    114.863
34   -35.78994   3.94074  1.000000    0.00   0.0000   32.626      0.000
35    49.62253   1.20000  1.785896   44.20   0.5631   29.627    -74.738
36    26.67634   7.52549  1.517417   52.43   0.5564   28.309     42.107
37  -110.11920   2.01000  1.000000    0.00   0.0000   27.515      0.000
38    65.03544   4.95279  1.517417   52.43   0.5564   24.960     58.514
39   -55.64153   1.20000  1.834807   42.72   0.5636   23.612    -25.832
40    35.88288   1.00867  1.000000    0.00   0.0000   22.105      0.000
41    31.22383   3.66415  1.487490   70.23   0.5300   21.994     63.835
42 960317.48701  3.80000  1.000000    0.00   0.0000   21.723      0.000
43     0.00000  34.37500  1.608590   46.44   0.5664   31.250      0.000
44     0.00000  13.75000  1.516800   64.17   0.5347   31.250      0.000
45     0.00000            1.000000    0.00   0.0000   31.250      0.000
各種データ
ズーム比     40.00 
広角     中間     望遠
焦点距離      11.00    51.80   440.00  
Fナンバー      2.10     2.10     4.30  
半画角（度）  26.57     6.06     0.72  
像高           5.50     5.50     5.50  
レンズ全長   392.89   392.89   392.89  
BF            10.00    10.00    10.00     
d10            0.70    76.53   117.47  
d15           44.46    19.38     5.14  
d18           76.60    15.63    11.13  
d21           13.70    23.92     1.73  
入射瞳位置    79.94   383.92   1867.48  
射出瞳位置  1951.42  1951.42   1951.42  
前側主点位置  91.00   437.10   2407.20  
後側主点位置  -1.00   -41.80   -430.00  
ズームレンズ群データ
群  始面    焦点距離  レンズ構成長  前側主点位置  後側主点位置
1    1     155.37        54.34        32.37         -7.09
2   11     -35.02        16.81         2.74         -9.34
3   16     -92.82         4.95        -1.04         -4.07
4   19     -66.06         4.38         0.17         -2.24
5   22      85.40       166.94        88.95       -190.90
【００２６】
（数値実施例２）
面番号    r        d        nd        νd     θgF   有効径   焦点距離
1  -171.14983   2.30000  1.720467   34.70   0.5834   80.090   -119.774
2   177.45749   2.28746  1.000000    0.00   0.0000   79.035      0.000
3   236.01533   2.30000  1.755199   27.51   0.6103   79.242   -375.984
4   128.83900  14.87124  1.438750   94.99   0.5342   78.989    151.773
5  -133.65887   0.40000  1.000000    0.00   0.0000   79.214      0.000
6   509.09651   6.21883  1.433870   95.10   0.5373   78.006    367.489
7  -232.13593   6.87237  1.000000    0.00   0.0000   77.785      0.000
8   103.80800   9.90600  1.592400   68.30   0.5456   73.793    142.512
9  -444.28300   0.15000  1.000000    0.00   0.0000   72.952      0.000
10    65.59448   6.33129  1.754998   52.32   0.5476   65.667    153.279
11   144.26241    (可変)  1.000000    0.00   0.0000   64.779      0.000
12   268.83153   1.00000  1.882997   40.76   0.5667   28.525    -18.668
13    15.58965   7.15231  1.000000    0.00   0.0000   22.559      0.000
14   -38.93639   6.07990  1.808095   22.76   0.6307   22.165     27.203
15   -15.13514   0.75000  1.882997   40.76   0.5667   22.125    -31.715
16   -33.47537    (可変)  1.000000    0.00   0.0000   22.368      0.000
17   -70.44232   4.81688  1.666800   33.05   0.5957   18.453     21.579
18   -12.34925   0.75000  1.882997   40.76   0.5667   18.154    -16.904
19   -71.58722    (可変)  1.000000    0.00   0.0000   18.633      0.000
20   -28.77581   0.75000  1.743198   49.34   0.5530   19.737    -22.926
21    42.74149   2.78000  1.846490   23.90   0.6217   21.471     49.256
22 -2742.50000    (可変)  1.000000    0.00   0.0000   22.007      0.000
23     開口絞り  1.51000  1.000000    0.00   0.0000   26.780      0.000
24   414.21688   4.60180  1.658441   50.88   0.5561   28.078     54.583
25   -39.38087   0.15000  1.000000    0.00   0.0000   28.736      0.000
26    53.26970   3.40011  1.531717   48.84   0.5630   29.505    111.348
27   497.87924   0.15000  1.000000    0.00   0.0000   29.351      0.000
28    82.13940   6.02904  1.487490   70.23   0.5300   29.199     55.427
29   -39.49401   1.00000  1.882997   40.76   0.5667   28.798    -46.691
30  -839.28643  36.60000  1.000000    0.00   0.0000   28.838      0.000
31    46.81686   6.02944  1.589130   61.14   0.5406   28.480     46.062
32   -62.03781   1.37651  1.000000    0.00   0.0000   27.947      0.000
33   -96.26089   1.00000  1.882997   40.76   0.5667   26.473    -24.270
34    27.91059   6.55668  1.496999   81.54   0.5375   25.374     45.686
35  -114.02609   0.15000  1.000000    0.00   0.0000   25.320      0.000
36    78.30964   6.08355  1.496999   81.54   0.5375   25.056     50.591
37   -36.23317   1.00000  1.834807   42.72   0.5636   24.911    -72.054
38   -91.50333   3.23521  1.000000    0.00   0.0000   25.148      0.000
39    32.62274   3.45197  1.487490   70.23   0.5300   24.845     93.684
40   109.29738   4.50000  1.000000    0.00   0.0000   24.349      0.000
41     0.00000  33.00000  1.608590   46.44   0.5664   40.000      0.000
42     0.00000  13.20000  1.516330   64.14   0.5352   40.000      0.000
43     0.00000            1.000000    0.00   0.0000   40.000      0.000
非球面データ
第12面
K = 7.78132e+001   A 4= 1.47015e-005  A 6= 5.45899e-008  
A 8=-8.38347e-010  A10=-5.58595e-012  A12= 4.36865e-015  
A 3=-5.22938e-006  A 5=-1.02484e-006  A 7= 2.40372e-009
A 9= 1.06816e-010  A11= 1.97141e-014  
第19面
K = 8.71898e-001   A 4=-5.84031e-006  A 6= 2.64588e-008  
A 8= 4.14574e-010  A10=-2.84801e-012  A12=-5.87235e-014  
A 3= 1.35724e-006  A 5=-1.43896e-006  A 7= 1.21975e-008  
A 9=-2.00667e-010  A11= 1.64421e-012  
各種データ
ズーム比     21.00 
広角     中間     望遠
焦点距離       8.00    29.55   168.00  
Fナンバー      1.90     1.90     2.70  
半画角（度）  34.51    10.54     1.88  
像高           5.50     5.50     5.50  
レンズ全長   278.66   278.66   278.66     
BF             7.54     7.54     7.54     
d11            1.04    35.48    53.91  
d16            5.84     1.39     0.86  
d19           49.14    14.35     5.95  
d22            6.37    11.16     1.67  
入射瞳位置    49.31   166.31   637.06  
射出瞳位置   446.99   446.99   446.99   
前側主点位置  57.45   197.85   869.29  
後側主点位置  -0.46   -22.01  -160.46  
ズームレンズ群データ
群  始面    焦点距離  レンズ構成長  前側主点位置  後側主点位置
1    1      69.86        51.64        33.00          1.70
2   12     -22.00        14.98        -1.69        -15.26
3   17     -68.17         5.57         0.66         -2.62
4   20     -43.35         3.53        -0.07         -2.00
5   23      58.04       133.02        64.55       -128.48
【００２７】
（数値実施例３）
面番号    r        d        nd        νd     θgF   有効径    焦点距離
1  5102.38823   3.00000  1.834807   42.72   0.5636  110.000   -231.669
2   187.28481   1.07300  1.000000    0.00   0.0000  109.893      0.000
3   187.76389  14.72957  1.433870   95.10   0.5373  110.507    280.408
4  -339.77442  11.15000  1.000000    0.00   0.0000  110.810      0.000
5   213.38103   8.92462  1.433870   95.10   0.5373    112.898    527.625
6  3000.33601   0.20000  1.000000    0.00   0.0000  112.706      0.000
7   155.43069  11.30622  1.433870   95.10   0.5373  111.382    376.542
8  2981.50890   0.20000  1.000000    0.00   0.0000  110.901      0.000
9   127.62681   8.64580  1.433870   95.10   0.5373  105.887    460.035
10   345.15430    (可変)  1.000000    0.00   0.0000  105.200      0.000
11    64.62978   1.00000  1.882997   40.76   0.5667   33.011    -44.466
12    24.33474   9.16148  1.000000    0.00   0.0000   29.206      0.000
13   -38.02900   0.90000  1.816000   46.62   0.5568   28.170    -33.705
14   102.30122   0.70000  1.000000    0.00   0.0000   28.353      0.000
15    63.20647   5.95348  1.808095   22.76   0.6307   28.777     34.945
16   -49.80207    (可変)  1.000000    0.00   0.0000   28.678      0.000
17   -43.58345   1.10000  1.816000   46.62   0.5568   26.911    -57.575
18  -572.20009    (可変)  1.000000    0.00   0.0000   26.847      0.000
19   -46.96000   1.30000  1.717004   47.92   0.5606   28.966    -36.468
20    60.35394   3.26438  1.846490   23.90   0.6217   31.055     80.947
21   460.58874    (可変)  1.000000    0.00   0.0000   31.507      0.000
22     開口絞り  4.05000  1.000000    0.00   0.0000   37.855      0.000
23   226.67058   6.75742  1.607379   56.81   0.5483   41.067     70.385
24   -52.36155   0.15000  1.000000    0.00   0.0000   41.545      0.000
25  3180.72058   3.29188  1.518229   58.90   0.5456   41.483    231.404
26  -125.09849   0.35000  1.000000    0.00   0.0000   41.463      0.000
27    39.06865   9.43204  1.487490   70.23   0.5300   39.964     58.436
28   -98.06367   1.50000  1.834000   37.17   0.5774   38.962   -121.818
29 -2415.03003   0.15000  1.000000    0.00   0.0000   37.883      0.000
30    36.73108   8.30910  1.487490   70.23   0.5300   34.990     53.864
31   -86.27365   1.50000  1.882997   40.76   0.5667   33.261    -25.097
32    30.30129  50.00000  1.000000    0.00   0.0000   29.841      0.000
33  -120.62916   4.64093  1.517417   52.43   0.5564   32.292     94.501
34   -35.36457   2.54355  1.000000    0.00   0.0000   32.518      0.000
35    63.07563   1.20000  1.785896   44.20   0.5631   29.519    -82.516
36    31.79036   6.49533  1.517417   52.43   0.5564   28.362     48.173
37  -109.65039   2.01000  1.000000    0.00   0.0000   27.637      0.000
38    76.16107   5.44373  1.517417   52.43   0.5564   25.095     48.054
39   -36.25647   1.20000  1.834807   42.72   0.5636   23.809    -24.462
40    48.07162   0.66799  1.000000    0.00   0.0000   22.801      0.000
41    33.72522   4.04093  1.487490   70.23   0.5300   22.915     69.490
42  4144.43983   3.80000  1.000000    0.00   0.0000   22.552      0.000
43     0.00000  34.37500  1.608590   46.44   0.5664   31.250      0.000
44     0.00000  13.75000  1.516800   64.17   0.5347   31.250      0.000
45     0.00000            1.000000    0.00   0.0000   31.250      0.000
各種データ
ズーム比     41.00 
広角     中間     望遠
焦点距離      11.00    47.89   451.00  
Fナンバー      2.10     2.10     4.10  
半画角（度）  26.57     6.55     0.70  
像高           5.50     5.50     5.50  
レンズ全長   399.24   399.24   399.24    
BF            10.21    10.21    10.21    
d10            0.71    80.61   123.61  
d16            2.83     2.42     2.20  
d18          127.10    36.96    13.65  
d21           10.12    20.77     1.30  
入射瞳位置    78.04   391.22   2079.32  
射出瞳位置  1135.49  1135.49   1135.49  
前側主点位置  89.15   441.15   2711.07  
後側主点位置  -0.79   -37.68   -440.79  
ズームレンズ群データ
群  始面    焦点距離  レンズ構成長  前側主点位置  後側主点位置
1    1     161.84        59.23        34.36         -8.84
2   11     -53.00        17.71        -4.28        -21.22
3   17     -57.58         1.10        -0.05         -0.65
4   19     -66.60         4.56         0.20         -2.31
5   22      85.33       165.66        91.22       -185.82
【００２８】
（数値実施例４）
面番号    r        d        nd        νd     θgF   有効径    焦点距離
1   879.78860   3.00000  1.834000   37.16   0.5775  103.530   -331.211
2   210.91583   1.07300  1.000000    0.00   0.0000  100.939      0.000
3   204.89062  13.40186  1.433870   95.10   0.5373  100.675    264.443
4  -257.03877  11.15000  1.000000    0.00   0.0000  100.006      0.000
5   348.68783   3.46641  1.433870   95.10   0.5373   94.100   1195.536
6  1055.17335   0.20000  1.000000    0.00   0.0000   93.921      0.000
7   136.60199   7.88454  1.433870   95.10   0.5373   92.790    382.491
8   750.13053   0.20000  1.000000    0.00   0.0000   92.406      0.000
9    94.02689   5.92474  1.433870   95.10   0.5373   88.362    518.391
10   158.20304    (可変)  1.000000    0.00   0.0000   87.703      0.000
11    66.74049   1.00000  1.882997   40.76   0.5667   37.859    -48.606
12    26.02891  11.81466  1.000000    0.00   0.0000   33.129      0.000
13   -33.69197   0.90000  1.754998   52.32   0.5476   31.757    -31.957
14    87.36237   0.70000  1.000000    0.00   0.0000   32.444      0.000
15    64.57951   5.11927  1.808095   22.76   0.6307   33.115     50.406
16  -109.40349    (可変)  1.000000    0.00   0.0000   33.149      0.000
17   -66.11091   1.10000  1.754998   52.32   0.5476   22.514   -138.389
18  -179.89846    (可変)  1.000000    0.00   0.0000   22.857      0.000
19   -48.94834   1.30000  1.717004   47.92   0.5606   26.191    -35.312
20    53.57949   3.10303  1.846490   23.90   0.6217   27.954     75.262
21   311.92162    (可変)  1.000000    0.00   0.0000   28.405      0.000
22     開口絞り  2.32000  1.000000    0.00   0.0000   37.555      0.000
23  -687.46539   5.75388  1.607379   56.81   0.5483   38.861     80.697
24   -46.07638   0.15000  1.000000    0.00   0.0000   39.507      0.000
25   446.76793   3.57385  1.518229   58.90   0.5456   39.989    187.196
26  -124.21784   0.35000  1.000000    0.00   0.0000   40.037      0.000
27    38.74021   9.05122  1.487490   70.23   0.5300   39.148     61.353
28  -122.96118   1.50000  1.834000   37.17   0.5774   38.133   -280.305
29  -259.02329   0.15000  1.000000    0.00   0.0000   37.449      0.000
30    33.05486   8.27880  1.487490   70.23   0.5300   33.619     49.959
31   -86.02558   1.50000  1.882997   40.76   0.5667   31.731    -22.488
32    26.22574  50.00000  1.000000    0.00   0.0000   27.889      0.000
33   -89.97175   3.76418  1.517417   52.43   0.5564   29.233     97.312
34   -32.84097   7.47540  1.000000    0.00   0.0000   29.428      0.000
35    63.84553   1.20000  1.882997   40.76   0.5667   25.320    -44.837
36    24.30827   5.45573  1.496999   81.54   0.5375   24.161     45.455
37  -308.71994   2.01000  1.000000    0.00   0.0000   24.079      0.000
38    83.83571   2.54773  1.496999   81.54   0.5375   23.796    262.225
39   231.42358   1.20000  1.882997   40.76   0.5667   23.484   -139.108
40    80.35072   3.11650  1.000000    0.00   0.0000   23.231      0.000
41    94.33579   2.88588  1.548141   45.79   0.5685   23.186     88.664
42  -100.22121   3.80000  1.000000    0.00   0.0000   23.039      0.000
43     0.00000  34.37500  1.608590   46.44   0.5664   31.250      0.000
44     0.00000  13.75000  1.516800   64.17   0.5347   31.250      0.000
45     0.00000            1.000000    0.00   0.0000   31.250      0.000
各種データ
ズーム比     20.00 
広角     中間     望遠
焦点距離      11.00    50.29   220.00  
Fナンバー      2.10     2.10     2.31  
半画角（度）  26.57     6.24     1.43  
像高           5.50     5.50     5.50  
レンズ全長   379.80   379.80   379.80     
BF             7.80     7.80     7.80     
d10            2.28    78.76   113.08  
d16           60.23     8.76     2.04  
d18           59.38    27.21     3.78  
d21           14.56    21.73    17.55  
入射瞳位置    79.50   397.83   1263.01  
射出瞳位置   246.53   246.53    246.53   
前側主点位置  91.01   458.71   1685.76  
後側主点位置  -3.20   -42.48   -212.20  
ズームレンズ群データ
群  始面    焦点距離  レンズ構成長  前側主点位置  後側主点位置
1    1     161.84        46.30        24.29        -10.98
2   11     -31.00        19.53         3.22        -13.12
3   17    -138.39         1.10        -0.36         -0.99
4   19     -66.60         4.40         0.32         -2.10
5   22     132.78       164.21       175.76       -296.48
【００２９】
（数値実施例５）
面番号    r        d        nd        νd     θgF    有効径   焦点距離
1   167.82920   2.60000  1.772499   49.60   0.5521   84.856    -54.064
2    33.34366  16.68772  1.000000    0.00   0.0000   60.721      0.000
3   129.27294   1.85000  1.772499   49.60   0.5521   60.272   -126.308
4    55.40704  13.20856  1.000000    0.00   0.0000   56.790      0.000
5  -121.26919   1.75000  1.772499   49.60   0.5521   56.624    -85.050
6   145.80838   0.15000  1.000000    0.00   0.0000   57.929      0.000
7    87.85305   8.69701  1.846660   23.78   0.6205   59.522     90.560
8  -622.99406   1.07862  1.000000    0.00   0.0000   59.476      0.000
9  1050.48055   7.90308  1.651597   58.55   0.5426   59.228    106.094
10   -74.10212   7.82883  1.000000    0.00   0.0000   59.061      0.000
11 -3394.45989   7.58594  1.455999   90.33   0.5340   53.433    138.880
12   -62.37446   1.80000  1.755199   27.51   0.6103   53.351   -131.832
13  -166.70918   0.15000  1.000000    0.00   0.0000   54.037      0.000
14  -559.13320   1.80000  1.720467   34.70   0.5834   53.980    -62.187
15    49.13453  12.52332  1.496999   81.54   0.5375   54.562     80.854
16  -205.18220   0.20000  1.000000    0.00   0.0000   55.340      0.000
17   258.42395   8.74986  1.618000   63.33   0.5441   56.627    101.970
18   -82.66967   0.30000  1.000000    0.00   0.0000   56.905      0.000
19    68.91121   9.88928  1.618000   63.33   0.5441   54.179     82.718
20  -189.87964    (可変)  1.000000    0.00   0.0000   53.002      0.000
21    47.04414   0.93673  1.882997   40.78   0.5668   23.901    -23.999
22    14.53115   7.05633  1.000000    0.00   0.0000   20.147      0.000
23   -25.26984   0.93673  1.834890   42.60   0.5635   19.648    -37.120
24  -135.87048   1.70823  1.000000    0.00   0.0000   19.996      0.000
25  -955.17709   5.87302  1.761821   26.52   0.6135   20.252     22.497
26   -17.02862   0.93673  1.834890   42.60   0.5635   20.454    -51.338
27   -28.85732    (可変)  1.000000    0.00   0.0000   20.777      0.000
28   279.15051   4.02560  1.575006   41.50   0.5766   18.536     30.624
29   -18.80938   0.93673  1.799620   42.10   0.5661   18.266    -22.718
30   648.68229    (可変)  1.000000    0.00   0.0000   18.644      0.000
31   -30.70263   0.75000  1.756998   47.82   0.5566   19.353    -20.997
32    33.64820   2.82303  1.808095   22.76   0.6307   20.871     40.765
33 -2945.01546    (可変)  1.000000    0.00   0.0000   21.269      0.000
34    開口絞り   1.37000  1.000000    0.00   0.0000   24.300      0.000
35   402.06399   3.47000  1.717004   47.92   0.5606   25.320     68.811
36   -56.35273   0.20000  1.000000    0.00   0.0000   25.912      0.000
37   133.18464   2.77000  1.648498   53.02   0.5548   26.481    140.491
38  -290.12517   0.20000  1.000000    0.00   0.0000   26.599      0.000
39    50.87391   7.01000  1.516330   64.14   0.5352   26.707     40.713
40   -34.35575   1.30000  1.834807   42.72   0.5636   26.307    -44.420
41  -444.37437  32.40000  1.000000    0.00   0.0000   26.382      0.000
42   283.18758   4.55762  1.516330   64.14   0.5352   25.976     67.977
43   -40.01320   0.19029  1.000000    0.00   0.0000   25.893      0.000
44  -185.69171   1.20000  1.882997   40.76   0.5667   25.047    -22.461
45    22.41764   8.15928  1.522494   59.84   0.5439   24.415     33.587
46   -72.00469   0.19922  1.000000    0.00   0.0000   25.370      0.000
47    36.78062   7.10311  1.518229   58.90   0.5456   26.264     35.503
48   -34.65986   1.20000  1.882997   40.76   0.5667   26.032    -31.880
49   157.17687   0.19805  1.000000    0.00   0.0000   26.337      0.000
50    39.04729   6.14142  1.487490   70.23    0.5300  26.925     45.842
51   -49.94778   4.00000  1.000000    0.00   0.0000   26.821      0.000
52     0.00000  33.00000  1.608590   46.44   0.5664   40.000      0.000
53     0.00000  13.20000  1.516330   64.15   0.5352   40.000      0.000
54     0.00000            1.000000    0.00   0.0000   40.000      0.000
非球面データ
第2面
K = 8.74170e+000   A 4= 1.68104e-006  A 6=-3.05094e-011
A 8= 3.91384e-012  A10= 7.05181e-015  A12= 6.09811e-019  
A 3=-1.74000e-006  A 5=-3.78471e-008  A 7=-1.26804e-011  
A 9=-2.40407e-013  A11=-1.03733e-016  
第11面
K =-2.13660e+000   A 4= 1.85266e-007  A 6= 3.54426e-010  
A 8= 4.11993e-013  A10= 9.77843e-016  A12=-7.92723e-019  
A 3=-2.68363e-007  A 5=-6.43186e-009  A 7=-1.05604e-011  
A 9=-5.03800e-014  A11= 3.09873e-017  
第31面
K =-1.38539e+002   A 4=-1.16793e-005  A 6= 1.52624e-007  
A 8= 2.62891e-010  A10=-7.24269e-012  A12= 2.18062e-015  
A 3= 8.22268e-006  A 5=-5.41608e-007  A 7=-9.87706e-009  
A 9=-9.29218e-012  A11= 5.78555e-013  
各種データ
ズーム比     10.00 
広角     中間     望遠
焦点距離       4.70    20.56    47.00  
Fナンバー      1.90     1.90     2.24  
半画角（度）  49.48    14.97     6.67  
像高           5.50     5.50     5.50 
レンズ全長   316.68   316.68   316.68  
BF             8.17     8.17     8.17   
d21            0.48    33.28    41.66  
d28            3.17     0.77     0.16  
d31           38.78     7.22     7.17  
d34            7.47     8.63     0.92  
入射瞳位置    35.10    61.93    92.52  
射出瞳位置   248.44   248.44   248.44   
前側主点位置  39.89    84.25   148.72  
後側主点位置   3.47   -12.39   -38.83  
ズームレンズ群データ
群  始面    焦点距離  レンズ構成長  前側主点位置  後側主点位置
1    1      27.39       104.75        46.72         36.44
2   22     -30.00        17.45        -4.21        -22.72
3   29     -90.00         4.96         3.10          0.01
4   32     -43.83         3.57        -0.05         -2.04
5   35      57.91       127.87        68.77       -118.31
【００３０】
【表１】
0005430332.tif 000004
【００３１】
図１２は各実施例のズームレンズを撮影光学系として用いた撮像装置（テレビカメラシステム）の要部概略図である。図１２において１０１は実施例１〜５のいずれか１つのズームレンズである。１２４はカメラである。ズームレンズ１０１はカメラ１２４に対して着脱可能になっている。１２５はカメラ１２４にズームレンズ１０１を装着することにより構成される撮像装置である。ズームレンズ１０１は第１レンズ群Ｆ、変倍部ＬＺ、結像用の第５レンズ群Ｒを有している。第１レンズ群Ｆは合焦用レンズ群が含まれている。変倍部ＬＺは変倍の為に光軸上を移動する第２レンズ群と、第３レンズ群、変倍に伴う像面変動を補正する為に光軸上を移動する第４レンズ群が含まれている。ＳＰは開口絞りである。第５レンズ群Ｒは光路中より挿抜可能なレンズユニットＩＥを有している。レンズユニットＩＥはズームレンズ１０１の全系の焦点距離範囲を変移している。尚、レンズユニットＩＥを有していなくても良い。１１４、１１５は、各々第１レンズ群Ｆ、変倍部ＬＺを光軸方向に駆動するヘリコイドやカム等の駆動機構である。１１６〜１１８は駆動機構１１４、１１５及び開口絞りＳＰを電動駆動するモータ（駆動手段）である。１１９〜１２１は、第１レンズ群Ｆ、変倍部ＬＺの光軸上の位置や、開口絞りＳＰの絞り径を検出する為のエンコーダやポテンショメータ、あるいはフォトセンサ等の検出器である。
【００３２】
カメラ１２４において、１０９はカメラ１２４内の光学フィルタや色分解プリズムに相当するガラスブロック、１１０はズームレンズ１０１によって形成された被写体像を受光するＣＣＤセンサやＣＭＯＳセンサ等の固体撮像素子（光電変換素子）である。また、１１１、１２２はカメラ１２４及びズームレンズ本体１０１の各種の駆動を制御するＣＰＵである。このように本発明のズームレンズをテレビカメラに適用することにより、高い光学性能を有する撮像装置を実現している。
【符号の説明】
【００３３】
Ｆは第１レンズ群、Ｖ１は第２レンズ群、Ｖ２は第３レンズ群、Ｃは第４レンズ群、Ｒは第５レンズ群、ＳＰは開口絞り、Ｉは像面、Ｐはガラスブロック（プリズム）
【図１１】
0005430332.tif 000005
【図１】
0005430332.tif 000006
【図２】
0005430332.tif 000007
【図３】
0005430332.tif 000008
【図４】
0005430332.tif 000009
【図５】
0005430332.tif 000010
【図６】
0005430332.tif 000011
【図７】
0005430332.tif 000012
【図８】
0005430332.tif 000013
【図９】
0005430332.tif 000014
【図１０】
0005430332.tif 000015
【図１２】
0005430332.tif 000016